(57)【特許請求の範囲】
【請求項１】
光束を出射する少なくとも１つの発光点を有する光源と、
上記光束を、ランド部及びグループ部を有しこれらランド部及びグループ部の一方もしくは双方に情報信号の記録が可能な光記録媒体の信号記録面上に集光させて照射する対物レンズと、
上記光記録媒体の信号記録面からの反射光束を受光する光検出手段とを備え、
上記光源から出射された光束は、上記光源から出射された往路において、光路中に配設された光回折素子である非点収差付加手段によって、情報信号の記録及び／又は再生を行うための主スポットを上記光記録媒体の信号記録面上に形成する主光束と、該光記録媒体の信号記録面上において該主スポットに対して離間した位置に一対の副スポットを形成する非点収差を有する一対の副光束とにされ、
上記非点収差付加手段により上記一対の副スポットに付加される非点隔差の方向は、光記録媒体の信号記録面上に形成された記録トラックの接線方向に対して互いに逆方向であり且つ略々４５°の方向であり、
上記光検出手段は、上記主光束が光記録媒体の信号記録面により反射された光束である主反射光束を受光する主受光部と、上記副光束が該信号記録面により反射された光束である副反射光束を受光する副受光部とを有し、
上記副受光部は、それぞれが独立した光検出信号を出力する複数の受光素子から構成され、これら受光素子によって、上記副反射光束を分割して受光し、
上記各受光素子は、加減算されることにより、上記主スポットの位置を判別するためのトラック判別信号が生成される複数の光検出信号を出力することを特徴とする光学ピックアップ装置。
【請求項２】
副スポットは、光記録媒体の信号記録面上に形成された記録トラックの法線方向の主スポットに対する距離の絶対値をＳ、トラックピッチをＰ、ｎを整数としたとき、
Ｓ≒Ｐｎ／２
が成立する位置に形成されることを特徴とする請求項１記載の光学ピックアップ装置。
【請求項３】
副スポットは、光記録媒体の信号記録面上に形成された記録トラックの法線方向の主スポットに対する距離をＳ、トラックピッチをＰ、ｎを整数としたとき、
Ｓ≒＋Ｐｎ／２
が成立する位置及び
Ｓ≒−Ｐｎ／２
が成立する位置に形成されることを特徴とする請求項１記載の光学ピックアップ装置。
【請求項４】
副スポットは、光記録媒体の信号記録面上に形成された記録トラックの法線方向の主スポットに対する距離の絶対値をＳとしたとき、
Ｓ＝０
が成立する位置に形成されることを特徴とする請求項１記載の光学ピックアップ装置。
【請求項５】
上記各副受光部を構成する複数の受光素子は、記録トラックの遠視野像に略々平行な方向及び略々直交する方向に配列されていることを特徴とする請求項１記載の光学ピックアップ装置。
【請求項６】
ランド部及びグループ部を有し、これらランド部及びグループ部の一方もしくは双方に情報信号の記録が可能な光記録媒体が着脱可能に取り付けられ、装着された光記録媒体を操作する操作機構と、
上記操作機構に装着されて操作される光記録媒体に対して、情報信号の書込み及び読出しを行う光学ピックアップ装置と、
上記光学ピックアップ装置からの出力信号に基づいて該光学ピックアップ装置の対物レンズの位置を制御するサーボ回路とを備え、
上記光学ピックアップ装置は、光束を出射する少なくとも１つの発光点を有する光源と、該光束を光記録媒体の信号記録面上に集光させて照射する対物レンズと、該光記録媒体の信号記録面からの反射光束を受光する光検出手段とを有し、
上記光学ピックアップ装置において上記光源から出射された光束は、上記光源から出射された往路において、光路中に配設された光回折素子である非点収差付加手段によって、情報信号の記録及び／又は再生を行うための主スポットを上記光記録媒体の信号記録面上に形成する主光束と、該光記録媒体の信号記録面上において該主スポットに対して離間した位置に一対の副スポットを形成する非点収差を有する一対の副光束とにされ、
上記非点収差付加手段により上記一対の副スポットに付加される非点隔差の方向は、光記録媒体の信号記録面上に形成された記録トラックの接線方向に対して互いに逆方向であり且つ略々４５°の方向であり、
上記光検出手段は、上記主光束が光記録媒体の信号記録面により反射された光束である主反射光束を受光する主受光部と、上記副光束が該信号記録面により反射された光束である副反射光束を受光する副受光部とを有し、
上記副受光部は、それぞれが独立した光検出信号を出力する複数の受光素子から構成され、これら受光素子によって、上記副反射光束を分割して受光し、
上記各受光素子は、加減算されることにより、上記主スポットの位置を判別するためのトラック判別信号が生成される複数の光検出信号を出力することを特徴とする光記録媒体記録再生装置。
【請求項７】
ランド部及びグループ部を有しこれらランド部及びグループ部の一方もしくは双方に情報信号の記録が可能な光記録媒体が着脱可能に取り付けられ、装着された光記録媒体を操作する操作機構に該光記録媒体を装着して操作させ、
光束を出射する少なくとも１つの発光点を有する光源と、該光束を光記録媒体の信号記録面上に集光させて照射する対物レンズと、該光記録媒体の信号記録面からの反射光束を受光する光検出手段とを有する光学ピックアップ装置を用いて、上記操作機構に装着されて操作される光記録媒体より情報信号を読み出し、
上記光学ピックアップ装置においては、上記光源から出射された光束が、上記光源から出射された往路において、光路中に配設された光回折素子である非点収差付加手段により、情報信号の記録及び／又は再生を行うための主スポットを上記光記録媒体の信号記録面上に形成する主光束と、該光記録媒体の信号記録面上において該主スポットに対して離間した位置に一対の副スポットを形成する非点収差を有する一対の副光束となることとし、
上記非点収差付加手段により上記一対の副スポットに付加される非点隔差の方向は、光記録媒体の信号記録面上に形成された記録トラックの接線方向に対して互いに逆方向であり且つ略々４５°の方向であり、
上記主光束が光記録媒体の信号記録面により反射された光束である主反射光束を受光する主受光部と、上記副光束が該信号記録面により反射された光束である副反射光束を受光する副受光部とを有する上記光検出手段の上記副受光部を構成する独立した光検出信号を出力する複数の受光素子によって、上記副反射光束を分割して受光し、
上記各受光素子により加減算された出力信号に基づいて、上記主スポットの位置を判別するためのトラック判別信号を生成することを特徴とするトラック判別信号検出方法。
【発明の詳細な説明】
【０００１】
【発明の属する技術分野】
本発明は、光記録媒体に対して情報信号の書き込み及び読出しを行う光学ピックアップ装置、このような光学ピックアップ装置を備えて構成され光記録媒体に対する情報信号の記録及び再生を行う光記録媒体記録再生装置、及び、このような光記録媒体記録再生装置において記録トラックの位置を検出するためのトラック判別信号を検出するトラック判別信号検出方法に関し、特に、ランド−グループ記録を行う光記録媒体記録再生装置、この光記録媒体記録再生装置において用いられる光学ピックアップ装置及びトラック判別信号検出方法に関する。
【０００２】
【従来の技術】
従来、いわゆる光ディスクの如き光記録媒体が提案され、このような光記録媒体を用いて情報信号の記録及び再生を行う装置として光記録媒体記録再生装置が提案されている。この光記録媒体記録再生装置においては、光記録媒体として、種々の方式に基づく光ディスクが用いられる。そして、このような光記録媒体記録再生装置においては、光学ピックアップ装置によって、光ディスクに対する情報信号の書き込み及び読出しを行っている。
【０００３】
この光学ピックアップ装置は、半導体レーザの如き光源を有し、この光源の発する光束を、対物レンズを介して光ディスクの信号記録面上に集光させて照射するように構成されている。そして、この光学ピックアップ装置は、信号記録面上に照射した光束により該信号記録面に情報信号を書き込み、また、該信号記録面上に照射した光束の該信号記録面による反射光束を検出することにより、該信号記録面に記録された情報信号を読み取るように構成されている。
【０００４】
この光学ピックアップ装置は、光ディスクの信号記録面上に螺旋状、または、同心円状に形成されたランド部、または、グループ部に沿って、情報信号の書き込み及び読出しを行う。
【０００５】
一方、光ディスクにおいては、記録される情報信号の高密度化が進められている。例えば、再生専用のいわゆる「ＲＯＭディスク」としては、「コンパクトディスク（ＣＤ）」（商標名）と同じく直径が１２０ｍｍの光ディスクを用いながら、記録容量が「コンパクトディスク」の容量である６５０ＭＢの約７倍の４．７ＧＢに高められた「ＤＶＤ」（商標名）が提案されている。
【０００６】
高記録密度化は、情報信号の記録及び再生が行える「書換可能ディスク」においても進行しており、書換可能な「ＤＶＤ」という位置付けで、いわゆる「ＤＶＤ−ＲＡＭ」ディスクを用いる光記録媒体記録再生装置が提案されている。この「ＤＶＤ−ＲＡＭ」ディスクは、記録される情報信号の高密度化を図るために、従来のランド部もしくはグループ部の一方のみに情報信号を記録する方式ではなく、ランド部及びグループ部の双方に情報信号を記録する「ランドグルーブ記録方式」を採用している。
【０００７】
また、近年、さらなる高記録密度化を図った光ディスクフォーマットとして、発光波長が４０５ｎｍ付近の短波長光源と、ＮＡ（開口数）が０．８５の高ＮＡ対物レンズを用いた「ＤＶＲ」フォーマットが開発されているが、このフォーマットにおいても、「ランドグルーブ記録方式」が採用されている。
【０００８】
【発明が解決しようとする課題】
ところで、上述のような「ＤＶＤ−ＲＡＭ」に代表されるように、「ランドグルーブ記録方式」を用いた高密度書換可能ディスクにおいては、ランド部及びグルーブ部の幅がほぼ等しく設定されていることによって、以下のような不具合を生じる。
【０００９】
すなわち、ランド部がグルーブ部よりも幅が広い光ディスクを用いてランド部のみに記録を行う「ランド記録方式」を採用した場合においては、図２２に示すように、トラッキングエラー信号（ＴＥ）と戻り光（「３スポット法」を用いる場合はメインスポット）の和信号（ＳＵＭ）とは、グループ部から次のグループ部までを一周期とした場合に（１／４）周期だけ位相がずれた関係にある。
【００１０】
したがって、トラッキングエラー信号（ＴＥ）が０となるようにトラッキング制御を行うにあたって、トラッキングエラー信号（ＴＥ）が０となる状態は光束がランド部上に照射されている場合とグルーブ部上に照射されている場合との２つの場合があるが、これら２つの場合は、和信号（ＳＵＭ）のレベルによって区別することができる。
【００１１】
このように光束がランド部上に照射されている場合とグルーブ部上に照射されている場合との２つの場合を区別するための信号は、「トラック判別信号」、または、「クロストラック信号（ＣＴＳ）」と呼ばれる。このような「トラック判別信号」としては、「ランド記録方式」を採用した場合のように、和信号（ＳＵＭ）のレベルが光束がランド部上に照射されている場合とグルーブ部上に照射されている場合とで大きく異なる場合には、図２３に示すように、該和信号の交流（ＡＣ）成分（ＡＣ−ＳＵＭ）を用いることが可能である、和信号の交流成分は、図２３に示すように、トラッキングエラー信号に対して９０度位相の異なるトラック判別信号となっている。
【００１２】
「ランド記録方式」を採用した場合においては、このようなトラッキングエラー信号と和信号の交流成分との２信号を用いることにより、高速でシーク動作をしている場合でも、記録トラックに対してスポットがどちらの方向に何トラック動いたかを正確に知ることが可能となり、安定してトラック横断数のカウントや、トラッキングサーボの引込動作を行うことができる。
【００１３】
ところが、「ランドグルーブ方式」を採用した場合においては、記録再生特性を最適にするために、通常はランド部とグルーブ部とは互いに略々同じ幅に設定されている。その結果、先の説明における和信号は、図２４に示すように、ランド部上に光束が照射されている場合とグルーブ部上に光束が照射されている場合とでほぼ等しくなってしまい、この和信号からトラック判別信号を生成することができない。
【００１４】
その結果、特に、外部記憶装置や業務用映像記録、編集装置などの用途において頻繁に行われる高速シーク動作時に、所定の記録トラックに一度でアクセスすることが困難となり、アクセス時間が長くなってしまうという問題があった。
【００１５】
また、「ランドグルーブ方式」を採用しないで光記録媒体に記録される情報信号の高密度化を図るフォーマットとして、いわゆる「ＤＶＤ＋ＲＷ」等があるが、これらも、ランド、または、グループの一方のみに情報信号を記録する方式でありながら、ランド及びグループの幅が互いに略々等しく設定されていることなどにより、和信号の交流成分（ＡＣ−ＳＵＭ）は、その直流（ＤＣ）成分に対して数％しかない場合が多く、やはり同様の問題を抱えていた。
【００１６】
そこで、本発明は、上述の実情に鑑みて提案されるものであって、部品点数を多くしたり部品の構成を複雑化することなく、例えば「ＤＶＤ−ＲＡＭ」や「ＤＶＲ」の如き「ランドグルーブ方式」を採用した光記録媒体を用いる場合においても、トラック判別信号を生成することができ、また、高速アクセスが可能となされた光学ピックアップ装置、トラック判別信号検出方法、及び、このような光学ピックアップ装置、トラック判別信号検出方法を採用した光記録媒体記録再生装置を提供しようとするものである。
【００１７】
【課題を解決するための手段】
上述の課題を解決するため、本発明に係る光学ピックアップ装置は、光束を出射する少なくとも１つの発光点を有する光源と、該光束を、ランド部及びグループ部を有しこれらランド部及びグループ部の一方もしくは双方に情報信号の記録が可能な光記録媒体の信号記録面上に集光させて照射する対物レンズと、該光記録媒体の信号記録面からの反射光束を受光する光検出手段とを備えている。
【００１８】
そして、この光学ピックアップ装置においては、光源から出射された光束を、上記光源から出射された往路において、光路中に配設された光回折素子である非点収差付加手段によって、情報信号の記録及び／又は再生を行うための主スポットを上記光記録媒体の信号記録面上に形成する主光束と、該光記録媒体の信号記録面上において該主スポットに対して離間した位置に副スポットを形成する非点収差を有する副光束とする。また、上記非点収差付加手段により上記一対の副スポットに付加される非点隔差の方向は、光記録媒体の信号記録面上に形成された記録トラックの接線方向に対して互いに逆方向であり且つ略々４５°の方向であり、上記光検出手段は、上記主光束が光記録媒体の信号記録面により反射された光束である主反射光束を受光する主受光部と、上記副光束が該信号記録面により反射された光束である副反射光束を受光する副受光部とを有し、上記副受光部は、それぞれが独立した光検出信号を出力する複数の受光素子から構成され、これら受光素子によって、上記副反射光束を分割して受光し、上記各受光素子は、加減算されることにより、上記主スポットの位置を判別するためのトラック判別信号が生成される複数の光検出信号を出力する。
【００１９】
また、本発明に係る光記録媒体記録再生装置は、ランド部及びグループ部を有しこれらランド部及びグループ部の一方もしくは双方に情報信号の記録が可能な光記録媒体が着脱可能に取り付けられ、装着された光記録媒体を操作する操作機構と、この操作機構に装着されて操作される光記録媒体に対して情報信号の書込み及び読出しを行う光学ピックアップ装置と、この光学ピックアップ装置からの出力信号に基づいて該光学ピックアップ装置の対物レンズの位置を制御するサーボ回路とを備えている。
【００２０】
この光記録媒体記録再生装置において、光学ピックアップ装置は、光束を出射する少なくとも１つの発光点を有する光源と、該光束を光記録媒体の信号記録面上に集光させて照射する対物レンズと、該光記録媒体の信号記録面からの反射光束を受光する光検出手段とを有している。この光学ピックアップ装置においては、光源から出射された光束を、上記光源から出射された往路において、光路中に配設された光回折素子である非点収差付加手段によって、情報信号の記録及び／又は再生を行うための主スポットを光記録媒体の信号記録面上に形成する主光束と、該光記録媒体の信号記録面上において該主スポットに対して離間した位置に副スポットを形成する非点収差を有する副光束とする。また、上記非点収差付加手段により上記一対の副スポットに付加される非点隔差の方向は、光記録媒体の信号記録面上に形成された記録トラックの接線方向に対して互いに逆方向であり且つ略々４５°の方向であり、上記光検出手段は、上記主光束が光記録媒体の信号記録面により反射された光束である主反射光束を受光する主受光部と、上記副光束が該信号記録面により反射された光束である副反射光束を受光する副受光部とを有し、上記副受光部は、それぞれが独立した光検出信号を出力する複数の受光素子から構成され、これら受光素子によって、上記副反射光束を分割して受光し、上記各受光素子は、加減算されることにより、上記主スポットの位置を判別するためのトラック判別信号が生成される複数の光検出信号を出力する。
【００２１】
そして、本発明に係るトラック判別信号検出方法は、まず、ランド部及びグループ部を有しこれらランド部及びグループ部の一方もしくは双方に情報信号の記録が可能な光記録媒体が着脱可能に取り付けられ装着された光記録媒体を操作する操作機構に、該光記録媒体を装着して操作させる。次に、光束を出射する少なくとも１つの発光点を有する光源と該光束を光記録媒体の信号記録面上に集光させて照射する対物レンズと該光記録媒体の信号記録面からの反射光束を受光する光検出手段とを有する光学ピックアップ装置を用いて、操作機構に装着されて操作された光記録媒体より情報信号を読み出す。
【００２２】
光学ピックアップ装置においては、光源から出射された光束を、上記光源から出射された往路において、光路中に配設された光回折素子である非点収差付加手段により、情報信号の記録及び／又は再生を行うための主スポットを光記録媒体の信号記録面上に形成する主光束と該光記録媒体の信号記録面上において該主スポットに対して離間した位置に副スポットを形成する非点収差を有する副光束とする。ここで、上記非点収差付加手段により上記一対の副スポットに付加される非点隔差の方向は、光記録媒体の信号記録面上に形成された記録トラックの接線方向に対して互いに逆方向であり且つ略々４５°の方向であり、上記主光束が光記録媒体の信号記録面により反射された光束である主反射光束を受光する主受光部と、上記副光束が該信号記録面により反射された光束である副反射光束を受光する副受光部とを有する上記光検出手段の上記副受光部を構成する独立した光検出信号を出力する複数の受光素子によって、上記副反射光束を分割して受光し、上記各受光素子により加減算された出力信号に基づいて、上記主スポットの位置を判別するためのトラック判別信号を生成する。
【００２３】
【発明の実施の形態】
以下、本発明の実施の形態を図面を参照しながら説明する。
【００２４】
本発明に係る光学ピックアップ装置を備えて構成された本発明に係る光記録媒体記録再生装置は、この実施の形態においては、光記録媒体である光ディスクとして、複数の種類の光ディスクから選定して、それぞれに対して情報信号の記録及び再生できるようになっている。そして、モード切替等の操作により、例えば、いわゆる「ＤＶＤ−ＲＡＭ」ディスクの如く「ランドグループ記録」を行うことができる光ディスクを用いて、「ランドグループ記録」を行うことができる。
【００２５】
この光記録媒体記録再生装置は、図１に示すように、光記録媒体である光ディスク１０１を回転駆動する回転操作手段となるスピンドルモータ１を備えている。スピンドルモータ１は、駆動軸に図示しないディスクテーブルが取付けられており、このディスクテーブル上に光ディスク１０１が装着されることにより、この光ディスク１０１をディスクテーブルとともに回転操作する。スピンドルモータ１は、サーボ制御回路５及びシステムコントローラ７によって制御され、所定の回転数で駆動する。
【００２６】
光学ピックアップ装置２は、スピンドルモータ１によって回転操作される光ディスク１０１に対し、情報信号の書き込み及び読出しを行う。この光学ピックアップ装置１は、送りモータ３によって、ディスクテーブル上に装着された光ディスク１０１の径方向に移動操作される。これら光学ピックアップ装置１及び送りモータ３も、サーボ制御回路５によって制御されて駆動する。
【００２７】
光学ピックアップ装置２は、光ディスク１０１の信号記録面に光束を照射し、この光束の反射光束を検出することにより、該信号記録面より情報信号を読み出す。光学ピックアップ装置２により光ディスク１０１より読み出された信号は、プリアンプ４により増幅されて、信号変復調及びＥＣＣブロック６及びサーボ制御回路５に送られる。信号変復調及びＥＣＣブロック６は、再生する光記録媒体の種類に応じて、信号の変調、復調及びＥＣＣ（エラー訂正符号）の付加を行う。また、信号変復調及びＥＣＣブロック６は、送られた信号に基づき、フォーカスエラー信号、トラッキングエラー信号、トラック判別信号、ＲＦ信号等を生成する。サーボ制御回路５は、信号変復調及びＥＣＣブロック６にて生成されるフォーカスエラー信号、トラッキングエラー信号、トラック判別信号に基づいて、光学ピックアップ装置２を制御する。
【００２８】
信号変復調及びＥＣＣブロック６において復調された信号は、この信号が例えばコンピュータのデータストレージ用のデータであれば、インターフェイス８ａを介して、外部コンピュータ９ａ等に送出される。この場合、外部コンピュータ９ａ等は、光ディスク１０１に記録された信号を、再生信号として受け取ることができる。
【００２９】
また、光ディスク１０１に記録された情報信号が、いわゆる「オーディオ・ビジュアル」（音響再生及び画像再生）用の信号である場合には、信号変復調及びＥＣＣブロック６において復調された信号は、Ｄ／Ａ，Ａ／Ｄ変換器８ｂにおいてデジタル／アナログ変換されて、オーディオ・ビジュアル処理部９ｂに送出される。このオーディオ・ビジュアル処理部９ｂにおいてオーディオ・ビデオ処理を行われた信号は、オーディオ・ビジュアル信号入出力部９ｃを介して、図示しない外部の映像・映写機器に伝送される。
【００３０】
また、光学ピックアップ装置２は、信号変復調及びＥＣＣブロック６から送られる信号に基づいて、回転操作される光ディスク１０１の信号記録面に対して、光束の照射を行う。このような光束の照射により、光ディスク１０１の信号記録面に対する情報信号の書き込みが行われる。
【００３１】
光学ピックアップ装置２は、図２に示すように、光源部１０を備えて構成されている。この光源部１０は、光束を出射する少なくとも１つの発光点を有しており、この実施の形態においては、図３に示すように、１つの発光点１０ａを有している。この発光点１０ａは、保持台部１０ｄにより支持されて、パッケージ１０ｅ内に収納されている。そして、この光源部１０は、光回折素子１７を有している。光回折素子１７は、図４に示すように、非点収差を生じさせるホログラムパターン（ホログラム素子）として構成されている。発光点１０ａより発せられ光回折素子１７によって回折された光束は、０次光及び±１次光に分離される。０次光は、発光点１０ａから発せられてそのまま進行する主光束に等しい。＋１次光は、発光点１０ａではなく、この発光点１０ａからずれた第１の仮想発光点１０ｂから発せられた第１の副光束に等しい。また、−１次光も、発光点１０ａではなく、この発光点１０ａからずれた第２の仮想発光点１０ｃから発せられた第２の副光束に等しい。
【００３２】
そして、光回折素子１７における０次光は、光ディスク１０１に対して情報信号の記録再生を行うための主スポットを該光ディスク１０１の信号記録面上に形成する主光束となる。光回折素子１７における＋１次光は、第１の副スポットを形成する第１の副光束となる。また、光回折素子１７における−１次光は、第２の副スポットを形成する第２の副光束となる。また、主光束が形成する主スポットと各副光束が形成する各副スポットとは、光ディスク１０１の信号記録面上において、互いに離間した位置に形成される。
【００３３】
そして、光回折素子１７における±１次光は、互いに逆符号で、かつ、光ディスク１０１の信号記録面上に形成される記録トラックの接線方向に対し略々４５°の角度をなす非点収差が付加されている。
【００３４】
また、この光源部１０においては、光回折素子１７が光軸回りに回転操作されることにより、主スポットの合焦位置を変動させることなく、各副スポットと光ディスクの信号記録面上の記録トラックとの位置関係を変化させることが可能となっている。そして、各副スポットは、光ディスクの信号記録面上に形成された記録トラックの法線方向の主スポットに対する距離の絶対値をＳ、トラックピッチをＴｐ、ｎを整数としたとき、
Ｓ≒Ｔｐ・ｎ／２
が成立する位置に形成される。
【００３５】
なお、本発明において、「トラックピッチ（Ｔｐ）」とは、「ランドグルーブ方式」を採用し光ディスク上のランド部及びグループ部の双方に情報信号を記録する場合であっても、「ランド部から次のランド部までの距離」（または、「グループ部から次のグループ部までの距離」）のことを言っている。
【００３６】
この光学ピックアップ装置２を用いて「ランドグルーブ記録」が行われた光記録媒体から情報信号を読み出す場合には、この光源部１０の仮想的な各発光点１０ａ，１０ｂ，１０ｃから射出された各光束は、図２に示すように、偏光ビームスプリッタプリズム１１に入射され、この偏光ビームスプリッタプリズム１１が有する誘電体多層膜に対してＳ偏光状態であることにより該誘電体多層膜によって略々全光量が反射されて、１／４波長板１２に入射する。１／４波長板１２に入射された光束は、この１／４波長板１２を透過することにより円偏光状態となされ、コリメータレンズ１３を透過して平行光束となされて、対物レンズ１４に入射する。
【００３７】
なお、偏光ビームスプリッタプリズム１１は、−般に、互いに貼り合わせられて立方体を形成する一対の三角プリズムと、これらの三角プリズムの間に蒸着やスパッタリングによって形成された誘電体多層膜とによって構成されている。この偏光ビームスプリッタプリズム１１に対する入射光束は、誘電体多層膜に対するＰ偏光成分が該誘電体多層膜を透過し、該誘電体多層膜に対するＳ偏光成分が該誘電体多層膜によって反射される。
【００３８】
対物レンズ１４は、図示しない二軸アクチュエータによって、図２中矢印Ｆで示すフオーカス方向及び図２中矢印Ｔで示すトラッキング方向に移動操作可能に支持されており、入射された各光束を光ディスク１０１の信号記録面上に集光させる。このとき、３つの仮想的な発光点１０ａ，１０ｂ，１０ｃから射出された光束が信号記録面上に集光される。
【００３９】
光ディスク１０１の信号記録面上に照射されて該信号記録面により反射された３本の反射光束は、対物レンズ１４、コリメータレンズ１３及び１／４波長板１２を経て、直線偏光状態となって偏光ビームスプリッタプリズム１１に至る。この偏光ビームスプリッタプリズム１１において、反射光束は、誘電体多層膜に対してＰ偏光状態となっていることにより略々全光量が該誘電体多層膜を透過し、光源部１０に戻る光路より分離されて、光分岐素子２２及びマルチレンズ１５を経て光検出素子１６に入射する光路を進行する。マルチレンズ１５は、凹面とシリンドリカル面とが組み合わされたレンズであって、反射光束の集光点までの距離を延長するとともに、該反射光束に非点収差を生じさせる。
【００４０】
なお、光学ピックアップ装置２を構成する各光学部品は、図示しない光学ブロック部内に個別にマウントされて支持されている。また、光回折素子１７は、偏光ホログラム素子により構成することもできる。この場合には、光回折素子１７は、上述のように発光点１０ａと偏光ビームスプリッタプリズム１１との間ではなく、偏光ビームスプリッタプリズム１１と１／４波長板１２との間に設けることとしてもよい。偏光ホログラム素子は、光ディスクに向かう往路の光束に対してホログラムとして作用するが、光ディスクから戻る復路の光束に対しては、なんらの光学的作用を生じないように形成することが可能だからである。
【００４１】
光検出素子１６は、図５に示すように、主スポットからの主反射光束を受光する第１の主受光部１８、第１の副スポットからの第１の副反射光束を受光する第１の副受光部１９、第２の副スポットからの第２の副反射光束を受光する第２の副受光部２０、及び、主スポットからの主反射光束が分岐された光束を独立して受光する第２の主受光部２１を有して構成されている。第２の主受光部２１への主反射光束の分岐は、図２に示すように、偏光ビームスプリッタプリズム１１及びマルチレンズ１５との間に、例えば、ウォラストンプリズムの如き光分岐素子２２が設けられていることによって行われる。
【００４２】
第１の主受光部１８は、いわゆる「非点収差法」によるフォーカスエラー信号の検出を行うため中心部分を介して放射状に配列された状態の４個の受光素子ａ，ｂ，ｃ，ｄとからなる。この主受光部１８において、受光素子ａ，ｃ及び受光素子ｂ，ｄは、互いに主受光部１８の中心部分を介して対角で対向する位置となっている。これら４面の受光素子ａ，ｂ，ｃ，ｄからは、それぞれ独立的な光検出信号ａ，ｂ，ｃ，ｄが出力される。
【００４３】
第２の主受光部２１は、光分岐素子によって分岐された主スポットからの反射光束を受光する１個の受光素子ｓからなる。この受光素子ｓからは、光検出信号ｓが出力される。この光検出信号ｓは、光ディスク１０１から読み出されるいわゆるＲＦ信号となるものである。
【００４４】
また、各副受光部１９，２０は、それぞれいわゆる「非点収差法」によるフォーカスエラー信号の検出を行うため中心部分を介して放射状に配列された状態の４個の受光素子ｅ，ｆ，ｇ，ｈ、ｉ，ｊ，ｋ，ｌとからなる。第１の副受光部１９において、受光素子ｅ，ｇ及び受光素子ｆ，ｈは、互いに第１の副受光部１９の中心部分を介して対角で対向する位置となっている。これら４面の受光素子ｅ，ｆ，ｇ，ｈからは、それぞれ独立的な光検出信号ｅ，ｆ，ｇ，ｈが出力される。第２の副受光部２０において、受光素子ｉ，ｋ及び受光素子ｊ，ｌは、互いに第２の副受光部２０の中心部分を介して対角で対向する位置となっている。これら４面の受光素子ｉ，ｊ，ｋ，ｌからは、それぞれ独立的な光検出信号ｉ，ｊ，ｋ，ｌが出力される。
【００４５】
この光検出素子１６から出力される光検出信号は、例えば該光検出素子１６の半導体基板上に形成された図示しないアンプにより電流−電圧変換された後、演算回路、もしくは、各受光部１８，１９，２０，２１に接続された光検出素子外部の演算回路に送られる。この演算回路においては、以下のようにして、フォーカスエラー信号ＦＥ、トラッキングエラー信号ＴＥ、トラック判別信号ＣＴＳ及びＲＦ信号が演算される。
【００４６】
すなわち、トラック判別信号ＣＴＳは、以下の演算により生成される。
【００４７】
ＣＴＳ＝｛（ｅ＋ｇ）−（ｆ＋ｈ）｝−｛（ｉ＋ｋ）−（ｊ＋ｌ）｝
また、フォーカスエラー信号ＦＥ１、トラッキングエラー信号ＴＥ及びＲＦ信号は、それぞれ以下の演算によって生成される。フォーカスエラー信号ＦＥ１は、いわゆる「非点収差法」による生成であり、トラッキングエラー信号ＴＥは、いわゆる「差動プッシュプル法」による生成である。
【００４８】
ＦＥ１＝（ａ＋ｃ）−（ｂ＋ｄ）
ＴＥ＝｛（ａ＋ｄ）−（ｂ＋ｃ）｝−Ｋ１・［｛（ｅ＋ｈ）−（ｆ＋ｇ）｝＋｛（ｉ＋ｌ）−（ｊ＋ｋ）｝］
（∵Ｋ１は係数）
ＲＦ＝ｓ
なお、本発明に係る光学ピックアップ装置の光検出素子１６においては、各副受光部１９，２０がそれぞれ主受光部１８と同様の受光面を有していることから、特開２０００−８２２２６において提案されているように、フォーカスエラー信号ＦＥ２を以下の演算により生成することとしてもよい。
【００４９】
ＦＥ２＝｛（ａ＋ｃ）−（ｂ＋ｄ）｝＋Ｋ２・［｛（ｅ＋ｇ）−（ｆ＋ｈ）｝＋｛（ｉ＋ｋ）−（ｊ＋ｌ）｝］
（∵Ｋ２は係数）
また、トラッキングエラー信号としては、主受光部１８からの光検出信号ａ，ｂ，ｃ，ｄを用いて、いわゆる差動位相差法（ディファレンシャルフェイズディテクション法：ＤＰＤ法）により生成することも可能である。
【００５０】
次に、本発明に係るトラック判別信号検出方法における信号検出の原理について説明する。
【００５１】
本発明においては、光ディスクの信号記録面上に、記録トラックの接線方向に対して略々４５°方向をなす非点収差を付加した副スポットを形成する。非点収差付加手段としてホログラム素子を用い、その±１次光を副スポットを形成する副光束として使用する場合、互いに非点隔差の方向の異なる２つの副スポットが形成される。この状態で各スポットが記録トラックを横断すると、主スポットでは、照射位置がランド位置かグループ位置かによって戻り光の強度が等しいのに対して、副スポットでは、非点収差による波面の干渉状態の変化によって、照射位置がランド位置かグループ位置かによって、戻り光強度に大きな差異が生ずる。このような光強度の差異に基づいて、トラック判別を行うことができる。
【００５２】
例えば、光ディスクとして「ＤＶＲ」ディスク（商標名）を用いる光学ピックアップ装置において、光ディスクにおける回折光の対物レンズ瞳上における強度分布及び位相分布を計算した結果を図６乃至図１１に示す。
【００５３】
ここに示した計算結果の計算条件としては、光学ピックアップ装置が照射する光束の波長を４０５ｎｍとし、対物レンズの開口数（ＮＡ）を０．８５とした。光ディスク上の記録トラックの周期は、０．６０μｍとし、グループ部の往復位相深さを（λ／６）とした。また、ランド部及びグループ部は、ともに等幅（０．３０μｍ）の矩形とした。
【００５４】
この図６乃至図１１は、主スポットがランド部上にある場合（図６乃至図８）の、非点隔差が＋０．５μｍの一方の副スポット（図６）、主スポット（図７）及び非点隔差が−０．５μｍの他方の副スポット（図８）について（便宜上、非点隔差の方向を表すため、“＋”，“−”の符号を用いている。）、並びに、主スポットがグループ部上にある場合（図９乃至図１１）の、非点隔差が＋０．５μｍの一方の副スポット（図９）、主スポット（図１０）及び非点隔差が−０．５μｍの他方の副スポット（図１１）について、反射光束における強度分布を示している。
【００５５】
図７及び図１０に示すように、光束に非点収差のない状態では、スポットがランド部上にあるかグループ部上であるかで、反射光束における強度分布は異ならない。これは、前述したように、ランド−グループ記録媒体において、和信号をトラック判別信号として用いることができない原因でもある。一方、光束に非点収差を付加した場合には、スポットがランド部上にあるかグループ部上にあるかで、反射光束における強度分布に大きな差異が生じ、しかも、非点収差の方向（符号）によって、ランド部とグループ部との関係が逆転していることがわかる。
【００５６】
ところで、上述の光学ピックアップ装置において、フォーカスエラー信号は、通常の非点収差法のほか、上述した特開２０００−８２２２６において提案されている方式によって検出することが可能であるが、この場合、反射光束は、図１２に示すように、マルチレンズ１５によって、記録トラックによる回折パターンの方向に対して４５°をなす方向に非点収差を生じさせられている。光検出素子１６の受光部を、図１２に示すように、非点収差が生じていることにより形成される非点収差が発生する方向の焦線と、これと直交する非点収差を付加されない方向、すなわち、マルチレンズ１５のシリンドリカル面の母線に平行な方向の焦線との略中間位置に配置することにより、合焦時には、戻り光のスポットは略々円に、引込範囲の両端では、焦線となることによって、主光束の光ディスク上での合焦時には、反射光束の受光素子上のスポットは略々円形になり、フォーカス引込範囲の両端側では、焦線となり、Ｓ字型をしたフォーカスエラー曲線が得られる。
【００５７】
主スポットの光ディスク上における合焦時において、対物レンズの瞳上における反射光束の回折パターンと、受光部上における回折パターンとを考えると、シリンドリカル面の母線に平行な方向と直交する方向のうち、受光部面の手前で合焦する方向についてのみ、パターンが反転するため、光検出素子１６の受光部面上には、図１３に示すように、各受光部に対応した戻り光スポットが形成される。
【００５８】
したがって、受光部において副光束の反射光束を分割して受光するにあたって、図１６に示すように、スポットの中心から放射状に４分割した状態で受光することとすれば、図１４及び図１５に示すような、照射位置がランド部上かグループ部上かによる強度変化に基づいて、上述したように、トラック判別信号が検出できるのである。
【００５９】
ここで、主スポットと副スポットとの光ディスク上における位置関係は、フォーカスエラー信号の検出方式として上述した特開２０００−８２２２６に記載の方式を用いている場合には、主スポットがグルーブ部上にあるときには、副スポットはランド部上にあるように設定されていることが望ましい。また、フォーカスエラー信号を求める演算が通常の非点収差法である場合には、主スポットがグルーブ部上にあるときに、副スポットがグループ部上にあるように設定されていてもランド部上にあるように設定されていてもよい。これらの場合には、トラック判別信号の極性が互いに反転する。
【００６０】
主スポットと副スポットとが光ディスク上においてこのような位置関係をとるためには、上述したように、光ディスクの信号記録面上に形成された記録トラックの法線方向の主スポットに対する距離をＳ、記録トラックのトラックピッチをＴｐ、ｎを整数としたときに、以下の式が成立している必要がある。
Ｓ≒Ｔｐ・ｎ／２
特に、各副スポットは、以下の式（Ｉ）乃至（III）が成立する２つの位置に形成されていることが望ましい。
（Ｉ）Ｓ≒＋Ｐ／２
Ｓ≒−Ｐ／２
（II）Ｓ＝０
（III）Ｓ≒＋Ｐ，Ｓ≒−Ｐ
しかし、各副スポットは、主スポットに対して対称な位置に形成される必要はない。
Ｓ≒＋ｎＰ／２
Ｓ≒−ｍＰ／２
（∵ｎ＞ｍ、ｎ＜ｍ、または、ｎ＝ｍ）
特に、上記式（II）が成立する場合については、主スポットと副スポットとが全て同一記録トラック上に形成されるため、トラックピッチの異なる複数の光ディスクに対しても、常に副スポットの記録トラックに対する関係を同じ状態にすることができる。
【００６１】
トラック判別信号（ＣＴＳ信号）は、図１７に示すように、トラッキングエラー信号ＴＥに対して、グループ部から次のグループ部までを一周期とした場合に（１／４）周期だけ位相がずれた関係にある。トラック判別信号が極小となる図１７中の（Ａ），（Ｃ）で示す状態においては、トラック判別信号が極大となる図１７中の（Ｂ）で示す状態に対して、光検出素子１６の受光面部においては、図１８及び図２０に示す状態に対して図１９に示すように、トラック判別信号の極性が逆になる強度分布となっている。
【００６２】
なお、上述した実施の形態においては、トラック判別信号を得るための副スポットとして、ホログラム素子によって形成された２つのスポットを用いている。様々な外乱による影響を低減するためには、このように２つの副スポットを用いることが望ましいが、１つの副スポットからでも、トラック判別信号を生成することができる。
【００６３】
なお、光検出素子１６の受光面部は、図２１に示すように、主受光部１８及び各副受光部１９，２０において、各戻り光スポットの中央部分のみを受光する受光面ｍ，ｎ，ｏを設けることとしてもよい。このように、各受光部１８，１９，２０において、反射光束の中央部分のみを受光する受光面ｍ，ｎ，ｏを設けることにより、光ディスクの信号記録面における回折光が重なって反射光束の中央部分の光強度が強くなった状態でスポットの移動が生じたときにも、このスポット移動によるフォーカスエラー信号の変動を回避することができる。
【００６４】
この場合にも、上述した各演算方法により、フォーカスエラー信号ＦＥ１，ＦＥ２、トラッキングエラー信号ＴＥ、トラック判別信号ＣＴＳ、ＲＦ信号ＲＦを生成することができる。
【００６５】
【発明の効果】
上述のように、本発明に係る光学ピックアップ装置、光記録媒体記録再生装置及びトラック判別信号検出方法においては、「ランドグルーブ記録媒体」を用いて「ランドグループ記録」を行う場合においても、簡単な構成により、良好なトラック判別信号を得ることができる。
【００６６】
このため、トラッキングサーボの引込や、シーク時の記録トラック横断の数及び方向のカウントなど、従来より使用されていた制御方法を「ランドグルーブ記録」において使用することを可能とする。
【００６７】
したがって、本発明は、部品点数が少なく部品の構成も簡単で、低コストで、かつ、高速アクセスが可能となされた、例えば「ＤＶＤ−ＲＡＭ」、「ＤＶＲ」などを用いて「ランドグループ記録」を行う光学ピックアップ装置及び光記録媒体記録再生装置を提供することができる。
【００６８】
また、「ＤＶＤ−ＲＡＭ」、「ＤＶＲ」に限らず、「ランドグルーブ記録」を用いる他の規格の光ディスクに対して一般的に適用することができ、部品点数も少なく部品の構成も簡単な光学ピックアップ装置及び光記録媒体記録再生装置を提供することができるものである。
【００６９】
すなわち、本発明は、部品点数を多くしたり部品の構成を複雑化することなく、例えば「ＤＶＤ−ＲＡＭ」や「ＤＶＲ」の如き「ランドグルーブ方式」を採用した光記録媒体を用いる場合においても、トラック判別信号を生成することができ、また、高速アクセスが可能となされた光学ピックアップ装置、トラック判別信号検出方法、及び、このような光学ピックアップ装置、トラック判別信号検出方法を採用した光記録媒体記録再生装置を提供することかできるものである。
【００７０】
なお、本発明は、「ランドグルーブ方式」の採用に伴って生ずる特有の現象を利用しているわけではないので、「ＤＶＤ＋ＲＷ」や「ＤＶＤ−ＲＷ」等の如く、ランド部、または、グルーブ部のいずれか一方のみに情報信号を記録する方式の光記録媒体を用いる場合においても有効である。
【図面の簡単な説明】
【図１】本発明に係る光記録媒体記録再生装置の構成を示すブロック図である。
【図２】本発明に係る光学ピックアップ装置の構成を示す側面図である。
【図３】上記光学ピックアップ装置の光源部の構成を示す側面図である。
【図４】上記光源部を構成する光回折素子を示す正面図である。
【図５】本発明に係る光学ピックアップ装置の光検出素子の受光部の構成及び光検出素子上における光スポットの状態を示す正面図である。
【図６】光ディスクとして「ＤＶＲ」を用いる光学ピックアップ装置により「ＤＶＲ」を再生したときに主スポットがランド部上にある場合における＋０．５μｍの非点隔差がある副スポットの光ディスクによる回折光の対物レンズ瞳上における強度分布の計算結果を示すグラフである。
【図７】光ディスクとして「ＤＶＲ」を用いる光学ピックアップ装置により「ＤＶＲ」を再生したときに主スポットがランド部上にある場合における非点隔差のない主スポットの光ディスクによる回折光の対物レンズ瞳上における強度分布の計算結果を示すグラフである。
【図８】光ディスクとして「ＤＶＲ」を用いる光学ピックアップ装置により「ＤＶＲ」を再生したときに主スポットがランド部上にある場合における−０．５μｍの非点隔差がある副スポットの光ディスクによる回折光の対物レンズ瞳上における強度分布の計算結果を示すグラフである。
【図９】光ディスクとして「ＤＶＲ」を用いる光学ピックアップ装置により「ＤＶＲ」を再生したときに主スポットがグループ部上にある場合における＋０．５μｍの非点隔差がある副スポットの光ディスクによる回折光の対物レンズ瞳上における強度分布の計算結果を示すグラフである。
【図１０】光ディスクとして「ＤＶＲ」を用いる光学ピックアップ装置により「ＤＶＲ」を再生したときに主スポットがグループ部上にある場合における非点隔差のない主スポットの光ディスクによる回折光の対物レンズ瞳上における強度分布の計算結果を示すグラフである。
【図１１】光ディスクとして「ＤＶＲ」を用いる光学ピックアップ装置により「ＤＶＲ」を再生したときに主スポットがグループ部上にある場合における−０．５μｍの非点隔差がある副スポットの光ディスクによる回折光の対物レンズ瞳上における強度分布の計算結果を示すグラフである。
【図１２】「非点収差法」における光束の断面形状の変化を示す斜視図である。
【図１３】上記光学ピックアップ装置における合焦状態における光検出素子上における各スポットの状態を示す正面図である。
【図１４】上記光学ピックアップ装置における合焦状態における一方の副受光部における反射光束の光強度分布を示す平面図である。
【図１５】上記光学ピックアップ装置における合焦状態における他方の副受光部における反射光束の光強度分布を示す平面図である。
【図１６】上記光学ピックアップ装置における各副受光部における反射光束の受光状態を示す平面図である。
【図１７】本発明に係るトラック判別信号検出方法によって検出されるトラック判別信号を示すグラフである。
【図１８】上記トラック判別信号が極小値をとるときの光検出素子上のスポットの状態を示す正面図である。
【図１９】上記トラック判別信号が極大値をとるときの光検出素子上のスポットの状態を示す正面図である。
【図２０】上記トラック判別信号が再び極小値をとるときの光検出素子上のスポットの状態を示す正面図である。
【図２１】本発明に係る光学ピックアップ装置の光検出素子の受光部の構成の他の例及び光検出素子上における光スポットの状態を示す正面図である。
【図２２】従来の「ランド記録方式」におけるトラッキングエラー信号と和信号との関係を示すグラフである。
【図２３】従来の「ランド記録方式」におけるトラッキングエラー信号及びトラック判別信号を示すグラフである。
【図２４】従来の「ランドグループ記録方式」における和信号を示すグラフである。
【符号の説明】
１  スピンドルモータ、２  光学ピックアップ装置、７  システムコントローラ、１０  光源部、１０ａ  主発光点、１０ｂ，１０ｃ  仮想発光点、１１、偏光ビームスプリッタプリズム、１４  対物レンズ、１６  光検出素子、１７  光回折素子、１８  主受光部、１９，２０  副受光部
【図１】
0004873773.tif 000002
【図２】
0004873773.tif 000003
【図３】
0004873773.tif 000004
【図４】
0004873773.tif 000005
【図５】
0004873773.tif 000006
【図６】
0004873773.tif 000007
【図７】
0004873773.tif 000008
【図８】
0004873773.tif 000009
【図９】
0004873773.tif 000010
【図１０】
0004873773.tif 000011
【図１１】
0004873773.tif 000012
【図１２】
0004873773.tif 000013
【図１３】
0004873773.tif 000014
【図１４】
0004873773.tif 000015
【図１５】
0004873773.tif 000016
【図１６】
0004873773.tif 000017
【図１７】
0004873773.tif 000018
【図１８】
0004873773.tif 000019
【図１９】
0004873773.tif 000020
【図２０】
0004873773.tif 000021
【図２１】
0004873773.tif 000022
【図２２】
0004873773.tif 000023
【図２３】
0004873773.tif 000024
【図２４】
0004873773.tif 000025